(57)【要約】【課題】検索システムを携帯電話１２にマッチできるようにする。【解決手段】広告主の広告ページ１８を、運営する携帯電話用のサイト１４に設ける。前記広告主のＵＲＬをエンコードした２次元バーコード１５付きの広告Ａを掲載した情報誌１１を無料配布する。情報誌１１を見た利用者が、広告Ａに興味を持って２次元バーコード１５を携帯電話１２で写して読み取らせると、広告ページ１８のＵＲＬを表示するので、広告主のページ１８へアクセスできる。このように、情報誌と携帯電話のサイトとを連係させることにより、携帯電話の利用者が情報を検索できる。【選択図】図１
2005267421.tif 000002
【特許請求の範囲】
【請求項１】
広告の依頼を受けると、依頼のあった広告主の広告ページを、運営する携帯電話用のサイトに開設して、その開設した広告ページに広告主の電話番号を記述し、
一方、前記ページのＵＲＬをエンコードした２次元バーコードをプリントした広告を電話番号情報を記載した情報誌に掲載して配布し、
前記配布された情報誌の２次元バーコードを携帯電話で読み込んで前記サイトの広告ページへアクセスし、記述された電話番号を読み込んで連絡できるようにした情報誌と携帯電話サイトとの連係システム。
【請求項２】
上記ページのＵＲＬを２次元バーコードにエンコードする際に、広告主の電話番号を同時にエンコードして、そのＵＲＬと電話番号とをエンコードした２次元バーコードをプリントした広告を電話番号情報を記載した情報誌に掲載し、
前記配布された情報誌の２次元バーコードを携帯電話で読み込んだ際に、広告主へ電話連絡できるようにした請求項１に記載の情報誌と携帯電話サイトとの連係システム。
【請求項３】
上記運営サイトに、個人ページを設け、その個人ページに上記サイトの広告ページを好みに合わせて登録できるようにし、登録した広告ページへアクセスできるようにした請求項１に記載の情報誌と携帯電話サイトとの連係システム。
【請求項４】
上記運営サイトへ広告主が更新データを携帯電話のメールで送信すると、送信した更新データが広告主のページへアップロードされるようにした請求項１に記載の情報誌と携帯電話サイトとの連係システム。
【請求項５】
上記２次元バーコードに広告の属性をデータ化して付与し、エンコードした広告を電話番号情報を記載した情報誌に掲載して配布するようにした請求項１に記載の情報誌と携帯電話サイトとの連係システム。
【発明の詳細な説明】
【技術分野】
【０００１】
この発明は、電話番号情報を記載した情報誌と携帯電話のサイトとを連係させることにより、携帯電話の利用者が情報を検索できるようにした情報誌と携帯電話サイトとの連係システムに関するものである。
【背景技術】
【０００２】
取得したバーコード情報に基づき情報を検索できるようにしたシステムとして（例えば特許文献１）に示すようなものがある。
【０００３】
このシステムは、図１０に示すように、インターネットのＷｅｂサイトに、バーコード情報に関連付けて、広告主（メーカー）による商品や店の属性情報・・・やインターネット上のホームページアドレスなどの情報を蓄積させたバーコードデータベース１と、このサービスを受けられるユーザの識別情報を蓄積する顧客データベース２と、前記バーコードデータベース１と顧客データベース２とに対して検索を行う検索エンジン３からなるブックマーク検索エンジン４を設け、そのブックマーク検索エンジン４に、例えば雑誌のレビュー記事や広告、ポスターその他に添付されたバーコード５をブックマーカーと言われる読み取り手段６で読み取って、パソコンなどのゲートウェーデバイス７でインターネットを介して接続すると、読み込んだバーコード５に基づく検索が行われ、検索された結果がゲートウェーデバイス７へ返送される。その際、検索結果にＵＲＬが含まれていれば、そのＵＲＬに従って販売店のホームページ８を参照できるというものである。
【０００４】
また、ブックマーク検索エンジン４に、所定のフィルタを介してアクセス制限を行うデータ管理システムで構成されるインターフェース９を設けて、広告主１０がバーコードデータベース１の登録情報を更新できるようにしてある。その際、更新作業もＧＵＩを用いることにより、容易にできるようにしたものである。
【０００５】
すなわち、この検索システムでは、利用者は、バーコード５をブックマーカー６で読み取り、ブックマーク検索エンジン４で商品情報や販売店の情報を入手して、気に入れば商品をＷｅｂサイト上で購入する。気に入らなければ、ゲートウェーデバイス７で条件を変えて検索を繰り返すというものである。
【０００６】
このように、上記の検索システムでは、ブックマーク検索エンジン４を設けて、バーコード５で特定される商品の販売店を検索し、検索された販売店から有利な店を選んで商品を購入できるというものである。そのため、利用者は有利な店を選べるため、予め顧客データベース２への登録を必要とし、サイトは顧客情報を得ることができるものである。
【特許文献１】特開２００１−２６５８０１号公報
【発明の開示】
【発明が解決しようとする課題】
【０００７】
しかしながら、上記の検索システムでは、広告主が大量に商品を販売するような分野には有効であるが、好みの店舗などをピンポイントで検索する場合には不向きである。特に、携帯画面に表示できる情報量が限られている携帯電話にこのシステムを用いると、検索候補が多数表示されると見づらくて利用しにくい問題がある。
【０００８】
また、利用者は検索を利用する際に、予め顧客データベースへの登録を必要とするので、煩わしくて利用者を増やし難い問題がある。
【０００９】
そこで、この発明の課題は、携帯電話にマッチできる検索システムで、利用者を増やし易く、また、顧客情報も得られるようにすることである。
【課題を解決するための手段】
【００１０】
上記の課題を解決するため、この発明では、広告の依頼を受けると、依頼のあった広告主の広告ページを、運営する携帯電話用のサイトに開設して、その開設した広告ページに広告主の電話番号を記述し、一方、前記ページのＵＲＬをエンコードした２次元バーコードをプリントした広告を電話番号情報を記載した情報誌に掲載して配布し、前記配布された情報誌の２次元バーコードを携帯電話で読み込んで前記サイトの広告ページへアクセスし、記述された電話番号を読み込んで連絡できるようにした構成を採用したのである。
【００１１】
このような構成を採用することにより、利用者は情報誌を入手して（このとき、情報誌を無料にすれば、配布先が広がるので好ましい）、中の広告で気に入った店や商品の販売店を見つけると、見つけた店や販売店の広告にプリントされた２次元バーコードを携帯電話に入力（撮影）する。すると、入力された２次元バーコードによってＵＲＬが携帯画面に表示されるので、例えば、表示されたＵＲＬへアクセスすると、携帯電話サイトの小さな携帯画面にマッチした広告主の広告ページが表示されるので、このページの内容をチェックして、その結果気に入れば、ページに記述された電話番号に電話すると、その場で連絡できる。このとき、電話番号は、ページに記述するため、携帯電話用の記述言語（スクリプト含む）で記されているので、この電話番号を読み込むことで、携帯電話から直接電話ができる。
【００１２】
また、このとき、上記ページのＵＲＬを２次元バーコードにエンコードする際に、広告主の電話番号を同時にエンコードして、そのＵＲＬと電話番号とをエンコードした２次元バーコードをプリントした広告を電話番号情報を記載した情報誌に掲載し、前記配布された情報誌の２次元バーコードを携帯電話で読み込んだ際に、広告主へ電話連絡できるようにした構成を採用することができる。
【００１３】
このような構成を採用することにより、携帯電話に２次元バーコードを入力すると、ＵＲＬと共に、広告主の電話番号が表示されるので、その電話番号に電話すれば、広告ページを見なくとも直に連絡が取れる。このとき、電話番号は２次元バーコードの書式に従って記述しエンコードしているので、この２次元バーコードを携帯電話へ入力することで、電話がかけられる。
【００１４】
また、このとき、上記運営サイトに、個人ページを設け、その個人ページに上記サイトの広告ページを好みに合わせて登録できるようにし、登録した広告ページへアクセスできるようにした構成を採用することができる。
【００１５】
このような構成を採用することにより、個人のページは、好みに合わせてカスタマイズし有用な広告ページを登録したことにより、このページへアクセスする回数を増加させて広告を見る機会を増加させることができる。その際、ページの開設を無料にすれば、利用者を増加できるので好ましい。
【００１６】
また、上記運営サイトへ広告主が更新データを携帯電話のメールで送信すると、送信した更新データが広告主のページへアップロードされるようにした構成を採用することができる。
【００１７】
このような構成を採用することにより、パソコンが苦手な広告主でも携帯電話で簡単にページの更新できる。また、このシステムを応用することで、例えば、「２０％ＯＦＦ」とか、「新商品入荷」といったような情報をリアルタイムで発信することができる。
【００１８】
さらに、上記２次元バーコードに広告の属性をデータ化して付与し、エンコードした広告を電話番号情報を記載した情報誌に掲載して配布するようにした構成を採用することができる。
【００１９】
このような構成を採用することにより、情報誌に掲載された２次元バーコードの属性を、サイトにアクセスした際に解析すれば、例えば、何時、何処で配布したものかなどが分かるようにできるので、顧客情報や広告効果を測定できる。
【発明の効果】
【００２０】
この発明は、上記のように構成したことにより、携帯電話にマッチできる検索システムを構築できる。また、利用者を増やし易く、顧客情報も得られる。
【発明を実施するための最良の形態】
【００２１】
以下、この発明の最良の実施の形態を図面に基づいて説明する。
【００２２】
図１に示すように、この形態の連係システムは、無料配布の情報誌１１（図では「テレページ」と称してある）と携帯電話１２という異なるメディアをミックスしてコラボレートさせるもので、そのため、ここでは、情報誌１１の発行元１３がサーバ１４を設けて、広告用のＷｅｂサイト１８、１９を構成するようにしている。なお、ここでは、情報誌１１の発行元１３がサーバ１４を設けるようにしたが、これに限定されるものではなく、Ｗｅｂサイトを他の業者に委託してもよい。
【００２３】
無料配布の情報誌１１は、日常生活情報に欠かせない電話番号（例えば、公共機関など）を掲載し、その情報に付随させたページに、図２に示すような、飲食、ファッション、その他の店舗の広告情報を掲載したもので、広告情報は、業種別、カテゴリー別分類で、見やすく、検索し易いように構成されている。
【００２４】
また、掲載される広告Ａは、図２のように、２次元バーコード（例えば、ＱＲコード）１５とコード番号１６を隅にプリント（添付）したもので、この２次元バーコード１５は、店舗の店名、所在地、電話番号、広告（ホーム）ページのＵＲＬなどをエンコードしたものである。そのため、２次元バーコード１５に対応したカメラ付き携帯電話１２で、図３（ａ）のように撮影し読み取ると、図３（ｂ）のように前記情報が携帯画面に表示されるようになっており、前記画面に表示された電話番号または広告ページのＵＲＬを選択し、決定ボタンを押すと、図３（ｃ）のようにアクセスできるようにしている。
【００２５】
ここで、２次元バーコードを読み取る携帯電話のソフトウェア（ディスプレイ制御）の仕様として、このソフトウェアに対応した携帯電話で、０からスタートする９桁〜１２桁の半角数字による文字列（文字列には、半角文字のハイフン及び半角括弧文字（）の使用が許可される）をエンコードした２次元バーコード１５を読み取ると、先の書式で記述した文字列を自動的に電話番号として認識し、ディスプレイに表示して、表示された電話番号を画面上でワンクリックすれば、自動的に電話をかけられる。
【００２６】
Ｗｅｂサイトは、パソコン１７用のウェブページ（図中：ＣｉｔｙＤＯ！と称している）１９と携帯電話１２の小さな画面に対応した携帯電話用のウェブページ（図中：ＰｏｃｋｅｔＣｉｔｙＤＯ！と称している）１８を備えており、両ページ１８、１９を連係して設けられるようになってる。
【００２７】
また、パソコン１７用のウェブページ１９と携帯電話用のウェブページ１８は、例えば、図４に示すように、横のフレームに画像の掲載された形式のウェブログ（Ｗｅｂｌｏｇ）またはブログ（ｂｌｏｇ）に対応しており、ＨＴＭＬやプログラムの知識を必要とせず、パソコン１７は勿論のこと、携帯電話１２から特定のアドレスへメールを送るだけで、ページ１８、１９の更新などが簡単にできるようになっている（これ以外でもＨＴＭＬやプログラムの知識を必要とせず、携帯電話から更新できるものであれば可）。
【００２８】
さらに、Ｗｅｂサイトには、無料利用のサーバを設けて、登録した利用者のための専用ページ（図中：Ｍｙｐａｇｅと称している）２０を設けることができるようにしている。  
【００２９】
このビジネスモデルは、上記のように構成されており、このシステムでは、発行元１３は、広告主を集めて、先に述べたような情報を持った２次元バーコード１５をプリントした広告Ａを掲載して情報誌１１を発行する。発行した情報誌１１は、各家庭や職場に無料配布したり、あるいは自由に持ち帰れるようにして店に置いてもらったり、道で配布したりして普及させる。このとき、配布した情報誌は、電話番号などの有用な情報が満載されているので、捨てられることはなく保存される筈である。
【００３０】
同時に、Ｗｅｂサーバ１４を設けてインターネットＩＰに接続し、例えば、図１で示すように広告主のページ１８、１９を開設する。前記ページ１８、１９は、利用者の興味を得られるようにするため、例えば情報誌の広告よりも新鮮で詳しい情報で構成したページ１８、１９を掲載できるようにする。そのため、Ｗｅｂのページはブログ対応としており、パソコン１７でも良いが、パソコン１７が苦手でも携帯電話１２から簡単に更新できるので、例えば、「２０％ＯＦＦ」とか、「新商品入荷」といったような情報をリアルタイムで発信してアクティブな広告を展開する。
【００３１】
いま、情報誌１１を見た利用者が、情報誌１１に記載された広告Ａを見て、広告Ａの店に興味を持つと、図１のように、広告Ａの２次元バーコード１５を携帯電話（カメラ付き携帯で、２次元バーコード読み取りに対応したもの）１２のカメラで写して読み取らせる。ちょうど、利用イメージとしては、左手に開いた情報誌１１を持って、右手で携帯電話１２を操作する感じである。
【００３２】
すると、図３（ａ）のように、読み取った２次元バーコード１５は、図３（ｂ）のように、自動的に店名、所在地、電話番号、広告ページのＵＲＬを表示するので、直接電話したい場合は電話番号を選択すれば（先に述べたような書式に従った２次元バーコードなので）、図１のように携帯電話局Ｓを介して店２１に直接連絡を取れる。また、詳しい情報を得たい場合は、広告ページのＵＲＬ（携帯サイト）を選択すれば、広告主のページ１８へアクセスできる。
【００３３】
アクセスしたページ１８には、最新の詳しい情報が掲載されているので、それを見てもっと情報が欲しい場合は電話連絡することもできる。このとき、携帯電話から（ＵＲＬや電話番号へ）アクセスできるようにするには、例えば、携帯用インターネット技術規格ＷＡＰ１．０対応端末の仕様に沿った記述やＷＡＰ２．０対応端末の仕様に沿った記述（Ｐｈｏｎｅ  ｔｏ  機能）を採用すればよい。
【００３４】
このように、携帯サイトのページ１８をピンポイントで検索して電話連絡もできるので、携帯電話１２にマッチできる検索システムである。
【００３５】
また、店が気に入れば、ブックマークをして「お気に入り」に登録することもできるが、このサーバ１４には無料で利用できるページ２０が準備されているので、これを利用することができる。このページ２０の利用に際しては、図５に示すように、空メールによる登録を行うもので、例えば、空メールを情報誌１１に記載のアドレスに送ると、専用ページのアドレスを記載した返信メールが送られてくるというものである。そのため、送られたアドレスにアクセスし、アクセス先で個人情報を入力すると、ＩＤとパスワードが発行され、準備された専用ページ２０へログインできる。
【００３６】
このページ２０は、例えば、図６（ａ）の「ＭｙＰａｇｅ  Ｔｏｐ」に示すように、「新着・お得情報」、「電話帳」、「店舗検索」、「登録情報更新」、「会員退会」・・・、「着メロ」など各種サービスが無料あるいは低料金で受けられるようにしてある。
【００３７】
例えば、「新着・お得情報」では、属する地域および「ＭｙＰａｇｅ」へ登録した店舗の一覧表示、さらに、「お買い得情報」では、登録者に「お買い得情報」や「クーポン」の発行などのサービスが受けられるようにしたり、「電話帳」では、情報誌１１に２次元バーコードと共に掲載されているコード１６を入力するだけで、電話番号を登録できるサービスや全ての広告主の電話番号を表示させたり、業種別で表示させたりのサービスが受けられる。次の「店舗検索」では、図６（ｂ）のように階層表示による検索で簡単検索ができるように構成している。また、図示はしていないが、「着メロ」では、着メロのダウンロード等のサービスが受けられるなど、登録した利用者が頻繁に訪れる仕組みを設けることで、利用者の増加を図り、顧客情報も得られるようにしてある。これらのＷｅｂ連動の相関図（データフロー）を図７に示す。
【００３８】
ところで、情報誌１１の広告に添付した２次元バーコード１５は、数字では７０８９文字、英数字では４２９８文字、バイナリーデータとしては２９５３バイト、漢字や全角カナでは１８１７文字の容量があると言われている。そのため、２次元バーコード１５に先の店名、電話番号、ＵＲＬなどのデータを記載しても十分な空き容量があるため、図８に示すような広告の情報（属性）Ｐを付加することで、広告の効果を測定することができる。
【００３９】
すなわち、図９のように情報誌１１などから２次元バーコード１５を読み取りインターネットＩＰを介してサーバ１４へアクセスした際に、サーバ１４が先の属性Ｐを読み取るようにすればよい。そのため、携帯電話１２に読み込んだ２次元バーコード１５の広告の情報（属性）Ｐを表示させないで、サーバ１４に読み込ませるためのアプリを例えば、２次元バーコード１５に記載しておくなど方法を考えればよい。
【００４０】
また、こうしてサーバ１４に読み込まれた情報Ｐは、何時、どのような広告が、どの媒体のどの部分に掲載されたかを解析すれば、広告効果を評価し、媒体の広告価値を算出できる。
【図面の簡単な説明】
【００４１】
【図１】実施形態のブロック図
【図２】実施形態の作用説明図
【図３】実施形態の作用説明図
【図４】実施形態の作用説明図
【図５】実施形態の作用説明図
【図６（ａ）】実施形態の作用説明図
【図６（ｂ）】実施形態の作用説明図
【図７】Ｗｅｂ連動の相関図（データフロー）
【図８】実施形態の広告の属性表
【図９】実施形態の作用説明図
【図１０】従来例のブロック図
【符号の説明】
【００４２】
１１  情報誌
１２  携帯電話
１３  発行元
１５  ２次元バーコード
１８  携帯電話用のページ
１９  パソコン用のページ
２０  個人用ページ
Ａ    広告
Ｐ    広告の情報（属性）
【図１】
2005267421.tif 000003
【図２】
2005267421.tif 000004
【図３】
2005267421.tif 000005
【図５】
2005267421.tif 000006
【図６（ａ）】
2005267421.tif 000007
【図６（ｂ）】
2005267421.tif 000008
【図７】
2005267421.tif 000009
【図８】
2005267421.tif 000010
【図９】
2005267421.tif 000011
【図１０】
2005267421.tif 000012
【図４】
2005267421.tif 000013